(57)【特許請求の範囲】
【請求項１】
複数のメンバーを指定してグループ通話を行うことが可能な無線通信端末において、
前記グループ通話中にメッセージを生成する生成手段と、
前記指定したグループ通話のメンバーのうち、グループ通話に未参加メンバーの情報を取得する取得手段と、
該取得手段により取得した前記指定したグループ通話のメンバーのうちの未参加メンバーの情報に基づいて、前記生成手段により生成したメッセージの宛先選択画面を生成し、該宛先選択画面におけるユーザの選択結果に基づいて、当該メッセージを前記ユーザが選択した前記指定したグループ通話のメンバーのうちの未参加メンバーに送信する送信手段と、
を備える無線通信端末。
【請求項２】
前記グループ通話の終話イベントを検知した場合に、前記取得手段が未参加メンバーの情報を取得することを特徴とする請求項１に記載の無線通信端末。
【請求項３】
前記メッセージの送信指示を受けた場合に、前記取得手段が未参加メンバーの情報を取得することを特徴とする請求項１に記載の無線通信端末。
【請求項４】
複数のメンバーを指定してグループ通話を行うことが可能な無線通信端末において、
前記グループ通話中にメッセージを生成する生成手段と、
前記指定したグループ通話のメンバーのうち、グループ通話に未参加メンバーの情報を取得する取得手段と、
該取得手段により取得した未参加メンバーの情報に基づいて、前記生成手段により生成したメッセージの宛先を指定して、当該メッセージを前記未参加メンバーに送信する送信手段と、を備え、
前記グループ通話の終話イベントを検知する前に、前記取得手段が未参加メンバーの情報を取得し、前記送信手段が前記取得手段により取得した未参加メンバーの情報に基づいて、前記生成手段により生成したメッセージの宛先を設定している場合は、当該メッセージを前記未参加メンバーに送信する際に、前記取得手段が再度未参加メンバーの情報を取得し、前記設定している宛先と取得した宛先に差が生じている場合にその旨を表示することを特徴とする無線通信端末。
【請求項５】
複数のメンバーを指定してグループ通話を行うことが可能な無線通信端末において、
前記グループ通話中にメッセージを生成する生成手段と、
前記指定したグループ通話のメンバーのうち、グループ通話に未参加メンバーの情報を
取得する取得手段と、
該取得手段により取得した未参加メンバーの情報に基づいて、前記生成手段により生成したメッセージの宛先を指定して、当該メッセージを前記未参加メンバーに送信する送信手段と、を備え、
前記メッセージの送信指示を受ける前に、前記取得手段が未参加メンバーの情報を取得し、前記送信手段が前記取得手段により取得した未参加メンバーの情報に基づいて、前記生成手段により生成したメッセージの宛先を設定している場合は、当該メッセージを前記未参加メンバーに送信する際に、前記取得手段が再度未参加メンバーの情報を取得し、前記設定している宛先と取得した宛先に差が生じている場合にその旨を表示することを特徴とする無線通信端末。
【請求項６】
指定された複数のメンバーによりグループ通話を行うことを可能にするサーバーにおいて、
グループ通話中に生成されるメッセージを記憶する記憶手段と、
前記グループ通話として指定された複数のメンバーのうち、グループ通話に未参加メンバーの情報を取得する取得手段と、
前記メッセージの送信指示を受けた場合に、前記取得手段が前記指定したグループ通話のメンバーのうちの未参加メンバーの情報を取得し、該取得手段により取得した前記指定したグループ通話のメンバーのうちの未参加メンバーの情報に基づいて、前記記憶手段により記憶しているメッセージの宛先を設定して、当該メッセージを前記指定したグループ通話のメンバーのうちの未参加メンバーに送信する送信手段と、
を備えるサーバー。
【発明の詳細な説明】
【技術分野】
【０００１】
本発明は、複数のメンバーを指定してグループ通話を行うことが可能な無線通信端末及びサーバーに関する。
【背景技術】
【０００２】
近年、移動体通信ネットワークなどの無線通信ネットワークにおいても、ＩＰ（Ｉｎｔｅｒｎｅｔ  Ｐｒｏｔｃｏｌ）をはじめ、無線通信端末間の呼制御を実行するＳＩＰ（Ｓｅｓｓｉｏｎ  Ｉｎｉｔｉａｔｉｏｎ  Ｐｒｏｔｏｃｏｌ）などのＩＰ関連のプロトコル群が用いられている。
【０００３】
また、当該プロトコル群が用いられる移動体通信ネットワークにおいて、無線通信端末（例えば、携帯電話端末など）が、複数の異なる無線通信端末を呼び出すことによって、当該無線通信端末によるグループを形成する“グループ通話”が実現されている。グループ通話では、グループに参加している無線通信端末は、当該グループに参加している他の無線通信端末との音声通信や、メッセージ（例えば、チャット）の送受信を行うことができる。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【０００４】
ところで、上述したグループ通話では、通信圏内に在圏しておらずグループ通話に参加できない無線通信端末や、ユーザの状況によって意図的にグループ通話に参加しない無線通信端末も存在する。さらに、グループ通話の終了前にグループから離脱したり、グループ通話の開始後に参加したりする無線通信端末も存在する。
【０００５】
このため、グループ通話に参加している無線通信端末のユーザが、グループ通話に参加していない（途中離脱を含む）無線通信端末（以下、“未参加端末”と適宜省略する）に向けて、上述したチャットなど、グループ通話の内容等に関するメッセージ（以下、“未参加端末宛てメッセージ”と適宜省略する）をＥメールやＳＭＳ（ショートメッセージサービス）などのアプリケーションを別途使用して送信する場合がある。
【０００６】
しかしながら、未参加端末宛てメッセージを送信するか否かおよびその内容は、グループ通話に参加している無線通信端末の各ユーザの判断に委ねられている。したがって、未参加端末は、グループ通話に参加している複数の無線通信端末から同様の内容のメッセージを複数受信する場合がある。また、複数の同様の内容のメッセージであっても作成者が異なるため内容が食い違っていたりする場合がある。
【０００７】
その結果、未参加端末のユーザは、何度も同じ内容のメッセージを閲覧したり、内容が違っている場合はグループ通話の内容を正確に把握できなかったり、という問題が生じる。
【０００８】
さらに、未参加端末宛にメッセージを送信する無線通信端末のユーザも誰が不参加であったのかを思い出したり、グループ通話のメンバーリストから未参加者を推測して、ＥメールやＳＭＳ（ショートメッセージサービス）などのアプリケーションを別途起動するとともに宛先を設定しなければならないので、手間もかかり、さらに一部の未参加端末宛にメッセージを送り忘れてしまう（宛先から漏れる）こともある。また、グループ通話が終了してからメッセージを送信するためのその内容を間違ってしまう恐れもある。さらに、ＥメールやＳＭＳ（ショートメッセージサービス）などを用いてメッセージを送信するため、送信する相手のアドレスや電話番号を改めて検索して設定する手間が生じていた。  そこで、本発明は以上の点に鑑みてなされたものであり、グループ通話に参加していない未参加端末に向けて未参加端末宛てメッセージを簡単に利便性良く送信することができる無線通信端末及びサーバーを提供することを目的とする。
【課題を解決するための手段】
【０００９】
上記課題を解決するために、本発明の第１の特徴は、複数のメンバーを指定してグループ通話を行うことが可能な無線通信端末において、前記グループ通話中にメッセージを生成する生成手段と、前記指定したグループ通話のメンバーのうち、グループ通話に未参加メンバーの情報を取得する取得手段と、該取得手段により取得した未参加メンバーの情報に基づいて、前記生成手段により生成したメッセージの宛先を指定して、当該メッセージを前記未参加メンバーに送信する送信手段とを備える無線通信端末であることを要旨とする。
【００１０】
本発明の第１の特徴において、前記グループ通話の終話イベントを検知した場合に、前記取得手段が未参加メンバーの情報を取得し、前記送信手段が前記取得手段により取得した未参加メンバーの情報に基づいて、前記生成手段により生成したメッセージの宛先を設定して、当該メッセージを前記未参加メンバーに送信してもよい。
【００１１】
本発明の第１の特徴において、前記メッセージの送信指示を受けた場合に、前記取得手段が未参加メンバーの情報を取得し、前記送信手段が前記取得手段により取得した未参加メンバーの情報に基づいて、前記生成手段により生成したメッセージの宛先を設定して、当該メッセージを前記未参加メンバーに送信してもよい。
【００１２】
本発明の第１の特徴において、前記グループ通話の終話イベントを検知する前に、前記取得手段が未参加メンバーの情報を取得し、前記送信手段が前記取得手段により取得した未参加メンバーの情報に基づいて、前記生成手段により生成したメッセージの宛先を設定している場合は、当該メッセージを前記未参加メンバーに送信する際に、前記取得手段が再度未参加メンバーの情報を取得し、前記設定している宛先と取得した宛先に差が生じている場合にその旨を表示してもよい。
【００１３】
本発明の第１の特徴において、前記メッセージの送信指示を受ける前に、前記取得手段が未参加メンバーの情報を取得し、前記送信手段が前記取得手段により取得した未参加メンバーの情報に基づいて、前記生成手段により生成したメッセージの宛先を設定している場合は、当該メッセージを前記未参加メンバーに送信する際に、前記取得手段が再度未参加メンバーの情報を取得し、前記設定している宛先と取得した宛先に差が生じている場合にその旨を表示してもよい。
【００１４】
本発明の第２の特徴において、指定された複数のメンバーによりグループ通話を行うことを可能にするサーバーにおいて、グループ通話中に生成されるメッセージを記憶する記憶手段と、前記グループ通話として指定された複数のメンバーのうち、グループ通話に未参加メンバーの情報を取得する取得手段と、該取得手段により取得した未参加メンバーの情報に基づいて、前記記憶手段により記憶しているメッセージの宛先を設定して、当該メッセージを前記未参加メンバーに送信する送信手段とを備えるサーバーであることを特徴とする。
【００１５】
本発明の第２の特徴において、前記グループ通話の終話イベントを検知した場合に、前記取得手段が未参加メンバーの情報を取得し、前記送信手段が前記取得手段により取得した未参加メンバーの情報に基づいて、前記記憶手段により記憶しているメッセージの宛先を設定して、当該メッセージを前記未参加メンバーに送信してもよい。
【００１６】
本発明の第２の特徴において、前記メッセージの送信指示を受けた場合に、前記取得手段が未参加メンバーの情報を取得し、前記送信手段が前記取得手段により取得した未参加メンバーの情報に基づいて、前記記憶手段により記憶しているメッセージの宛先を設定して、当該メッセージを前記未参加メンバーに送信してもよい。
【発明の効果】
【００１７】
本発明の特徴によれば、グループ通話に参加していない未参加端末に向けて未参加端末宛てメッセージを簡単に利便性良く送信することができる無線通信端末及びサーバーを提供することができる。
【発明を実施するための最良の形態】
【００１８】
［第１実施形態］
（無線通信ネットワークの概略構成）
図１を参照し、本発明の第１実施形態に係る無線通信ネットワークの概略構成について説明する。
【００１９】
本明細書において、グループ通話とは、複数の無線通信端末間におけるＶｏＩＰ（Ｖｏｉｃｅ  ｏｖｅｒ  ＩＰ）通信やチャット等の非音声通信、さらにＴＶ電話通信やＴＶ会議通信等の音声通信と非音声通信を融合して構成されるものをも含むものとする。
【００２０】
図１に示すように、無線通信ネットワークは、ＳＩＰサーバー３００と、ＳＭＳ（Ｓｈｏｒｔ  Ｍｅｓｓａｇｅ  Ｓｅｒｖｉｃｅ）サーバー４００とを備えている。また、本実施形態に係る無線通信端末１００Ａ、１００Ｂ、１００Ｃは、ＩＰパケットを伝送する無線パケットネットワーク２００ａを介してＳＩＰサーバー３００に、回線交換ネットワーク２００ｂを介してＳＭＳサーバー４００に接続可能に構成されている。
【００２１】
以下、本明細書において、無線通信端末１００Ａ、１００Ｂをグループ通話に参加している無線通信端末、無線通信端末１００Ｃをグループ通話に参加していない未参加端末として説明する。
【００２２】
ＳＩＰサーバー３００は、ＳＩＰに基づいて、無線通信端末１００Ａ〜１００Ｃのグループ通話を制御する。なお、ＳＩＰサーバー３００は、指定された複数のメンバーによりグループ通話を行うことを可能にするサーバーを構成する。
【００２３】
ＳＭＳサーバー４００は、メッセージサービス（ショートメッセージサービス）を提供する。
【００２４】
（第１実施形態に係る無線通信端末の構成）
図２を参照し、無線通信ネットワークにおいて用いられる無線通信端末１００Ａの構成について説明する。
【００２５】
図２に示すように、無線通信端末１００Ａは、制御部１１０と、グループ通話処理部１２０と、通知メッセージ生成部１３０と、表示部１４０と、操作部１５０と、記憶部１６０と、宛先設定処理部１７０と、通知メッセージ連結部１８０と、通知メッセージ送信部１９０とを具備する。
【００２６】
無線通信端末１００Ｂ、１００Ｃも無線通信端末１００Ａと同様の機能ブロック構成を有する。また、以下、本発明との関連がある部分について主に説明する。したがって、無線通信端末１００Ａは、無線通信端末１００Ａとしての機能を実現する上で必須な、図示しない或いは説明を省略した論理ブロック（電源部など）を備える場合があることに留意されたい。
【００２７】
制御部１１０は、無線通信端末１００の各機能ブロックを制御する。
【００２８】
具体的には、制御部１１０は、無線通信端末１００Ａがグループ通話を開始したことを検知する。制御部１１０は、無線通信端末１００Ａがグループ通話を開始したことを検知した場合、通知メッセージ生成部１３０を起動することを可能にする。
【００２９】
また、制御部１１０は、操作部１５０がユーザから未参加端末への通知メッセージの送信を指示する送信操作を受け付けた場合、又は終話イベントを検知した場合（無線通信端末１００ＡがＢＹＥリクエストを発行した場合や、無線通信端末１００Ｂが発行したＢＹＥリクエストを無線通信端末１００Ａが受信した場合等のグループ通話終了）、通知メッセージ連結部１８０を起動する。
【００３０】
グループ通話処理部１２０は、ＳＩＰサーバー３００に対して通知メッセージを送信するように指示する。また、グループ通話処理部１２０は、ＳＩＰサーバー３００を介してグループ通話中の無線通信端末１００Ｂからの通知メッセージを受信する。本実施形態において、グループ通話処理部１２０は、送受信部を構成する。
【００３１】
また、グループ通話処理部１２０は、グループ通話を行うための、グループメンバーを指定して、グループリストの生成や、グループメンバーに基づく発呼処理や、グループ内の無線通信端末の呼び出し処理等を行う。
【００３２】
通知メッセージ生成部１３０は、制御部１１０からの指示に応じて、例えば、図３に示すような通知メッセージ作成画面を生成し、表示部１４０に表示させる。また、通知メッセージ生成部１３０は、通知メッセージ作成画面を表示部１４０に表示させている間に操作部１５０から取得した情報に基づいて、無線通信端末１００Ｃに対する通知メッセージ（メッセージ）を生成する。また、通知メッセージ生成部１３０は、生成したメッセージをＳＭＳやＥメールに合わせた通知メッセージに生成する。本実施形態において、通知メッセージ生成部１３０は、グループ通話中にメッセージを生成する生成手段を構成する。
【００３３】
表示部１４０は、小型の表示機によって構成され、様々な情報を表示する。具体的には、表示部１４０は、通知メッセージ生成部１３０によって生成された通知メッセージ作成画面を表示する。また、表示部１４０は、宛先設定処理部１７０によって生成された宛先選択画面を表示する。
【００３４】
操作部１５０は、無線通信端末１００のユーザによって操作される各種キー及びバイブレータによって構成される。
【００３５】
具体的には、操作部１５０は、グループメンバーの指定や、表示部１４０に表示された通知メッセージ作成画面において、ユーザによって入力された情報を取得する。また、操作部１５０は、ユーザから未参加端末への通知メッセージの送信を指示する送信操作を受け付ける。
【００３６】
記憶部１６０は、通知メッセージ生成部１３０によって生成された通知メッセージ、グループ通話処理部１２０によって受信した通知メッセージ、グループメンバーのリストや、電話帳情報などを記憶する。
【００３７】
宛先設定処理部１７０は、制御部１１０からの指示に応じて、ＳＩＰサーバー３００から未参加情報（以下、“未参加者リスト”（未参加端末リストなどと記載））を取得する。
【００３８】
ここで、未参加情報とは、無線通信端末１００Ａから生成したグループ通話として指定したグループのメンバーからなるグループリストの無線通信端末のうち、グループ通話に参加していない無線通信端末（メンバー）の情報である。尚、全てのグループリストから未参加者が識別できるようにしたリストでも良い。
【００３９】
また、宛先設定処理部１７０は、ＳＩＰサーバー３００から取得した未参加者リストに基づいて、図４に示すような宛先選択画面を生成し、表示部１４０に表示させる。宛先設定処理部１７０は、表示部１４０に表示された宛先選択画面におけるユーザの選択に基づいて、通知メッセージの宛先を設定する。尚、この宛先の情報は、ＳＩＰサーバー３００から取得する未参加情報に含まれてもよいし、未参加情報に示されている識別情報に基づいて、記憶部１６０の情報を参照して設定してもよい。
【００４０】
本実施形態において、宛先設定処理部１７０は、指定したグループ通話のメンバーのうち、グループ通話に未参加メンバーの情報を取得する取得手段を構成する。
【００４１】
通知メッセージ連結部１８０は、制御部１１０からの指示に応じて、記憶部１６０に記憶されている複数の通知メッセージを必要に応じて１つの通知メッセージとして生成する。具体的には、通知メッセージ連結部１８０は、例えば、図５に示すように、通信中のグループの識別情報を有する通知メッセージを、時系列やユーザ順などで連結する。
【００４２】
通知メッセージ送信部１９０は、ショートメッセージサービスを用いて、宛先設定処理部１７０によって設定された宛先に基づいて、通知メッセージを送信する。尚、ショートメッセージサービスの規定文字数に入らない場合は分割して送信したり、Ｅメールに変更して送信することも可能である。
【００４３】
本実施形態において、宛先設定処理部１７０及び通知メッセージ送信部１９０は、取得手段により取得した未参加メンバーの情報に基づいて、生成手段により生成したメッセージ（通知メッセージ）の宛先を指定して、当該メッセージを未参加メンバーに送信する送信手段を構成する。
【００４４】
本実施形態において、グループ通話の終話イベントを検知した場合に、取得手段が未参加メンバーの情報を取得し、宛先設定処理部１７０及び通知メッセージ送信部１９０が取得手段により取得した未参加メンバーの情報に基づいて、生成手段により生成したメッセージの宛先を設定して、当該メッセージを未参加メンバーに送信してもよい。
【００４５】
本実施形態において、メッセージの送信指示を受けた場合に、取得手段が未参加メンバーの情報を取得し、宛先設定処理部１７０及び通知メッセージ送信部１９０が取得手段により取得した未参加メンバーの情報に基づいて、生成手段により生成したメッセージの宛先を設定して、当該メッセージを未参加メンバーに送信してもよい。
【００４６】
本実施形態において、グループ通話の終話イベントを検知する前に、取得手段が未参加メンバーの情報を取得し、宛先設定処理部１７０及び通知メッセージ送信部１９０が取得手段により取得した未参加メンバーの情報に基づいて、生成手段により生成したメッセージの宛先を設定している場合は、当該メッセージを前記未参加メンバーに送信する際に、取得手段が再度未参加メンバーの情報を取得し、設定している宛先と取得した宛先に差が生じている場合にその旨を表示してもよい。
【００４７】
本実施形態において、メッセージの送信指示を受ける前に、取得手段が未参加メンバーの情報を取得し、宛先設定処理部１７０及び通知メッセージ送信部１９０が取得手段により取得した未参加メンバーの情報に基づいて、生成手段により生成したメッセージの宛先を設定している場合は、当該メッセージを未参加メンバーに送信する際に、取得手段が再度未参加メンバーの情報を取得し、設定している宛先と取得した宛先に差が生じている場合にその旨を表示してもよい。
【００４８】
（第１実施形態に係る通信方法）
以下、図６乃至図８を参照し、第１実施形態に係る通信方法について説明する。
【００４９】
図６は、無線通信端末１００ＡがＳＩＰサーバー３００によって無線通信端末１００Ｂ、１００Ｃを呼び出してグループを形成するシーケンスを示す図である。
【００５０】
図６に示すように、ステップＳ１０において、無線通信端末１００Ａは、無線通信端末１００Ｂ、１００Ｃの識別情報を含むグループリストを形成する。
【００５１】
ステップＳ２０において、無線通信端末１００Ａは、ＳＩＰサーバー３００に対して、無線通信端末１００Ｂ、１００Ｃの呼び出し要求（ＩＮＶＩＴＥ  Ｒｅｑｅｓｔ（Ｂ，Ｃ））を行う。
【００５２】
ステップＳ３０において、ＳＩＰサーバー３００は、ＳＭＳサーバー４００を呼び出して、無線通信端末１００Ａから上述の無線通信端末１００Ｂ、１００ＣのＩＮＶＩＴＥ  Ｒｅｑｅｓｔ（Ｂ、Ｃ）（呼び出し要求）をＳＩＰサーバー３００が受信した旨を通知する。
【００５３】
ステップＳ４０ａにおいて、ＳＭＳサーバー４００は、ＳＩＰサーバー３００からの通知に応じて、無線通信端末１００Ｂ宛の呼び出しメッセージ（ＳＭＳ）を生成して、無線通信端末１００Ｂに送信する。
【００５４】
同様に、ステップＳ４０ｂにおいて、ＳＭＳサーバー４００は、ＳＩＰサーバー３００からの通知に応じて、無線通信端末１００Ｃ宛の呼び出しメッセージ（ＳＭＳ）を生成して、無線通信端末１００Ｃに送信を試みるが失敗する。
【００５５】
ステップＳ５０において、無線通信端末１００Ｂは、ステップＳ４０ａにおいてＳＭＳサーバー４００から送信された呼び出しメッセージ（ＳＭＳ）を受信し、ＳＩＰサーバー３００を介してグループ通話を開始するための処理を行う。
【００５６】
無線通信端末１００Ｂがグループ通話を開始するための処理とは、ＳＩＰサーバーへログイン処理や、ＩＮＶＩＴＥ  ＲＥＱＵＥＳＴの受信処理、無線通信端末１００Ｂのユーザの呼び出し処理等を含む。
【００５７】
ステップＳ６０において、無線通信端末１００Ｂのユーザが呼び出しに応答した場合、無線通信端末１００Ａと無線通信端末１００Ｂとのグループ通話が開始される。かかる場合、無線通信端末１００Ａと無線通信端末１００Ｂとがグループ通話に参加している無線通信端末となる。
【００５８】
ステップＳ７０において、ＳＭＳサーバー４００は、ステップＳ４０ｂにおいて無線通信端末１００Ｃに送信した呼び出しメッセージ（ＳＭＳ）に対して、無線通信端末１００Ｃが未応答であることを検知し、無線通信端末１００Ｃが未応答であることをＳＩＰサーバー３００に対して通知する。かかる場合、無線通信端末１００Ｃは、未参加端末となる。
【００５９】
なお、図示しないが、未参加端末には、ＩＮＶＩＴＥ  ＲＥＱＵＥＳＴを受信し、ユーザを呼び出してもユーザが応答しない無線通信端末も含まれる。また、グループ通話の終了前にグループから離脱したり、グループ通話の開始後に参加したりする無線通信端末も存在する。
【００６０】
次に、図７乃至図８を参照し、第１実施形態に係る無線通信端末１００Ａの通知メッセージ送信例について説明する。以下、無線通信端末１００Ａ及び無線通信端末１００Ｂは、グループ通話に参加している無線通信端末とし、無線通信端末１００Ｃをグループ通話に参加していない未参加端末として説明する。
【００６１】
図７は、無線通信端末１００Ａが、通知メッセージを生成し、無線通信端末１００Ｃに送信する例である。
【００６２】
図７に示すように、ステップＳ１０１において、無線通信端末１００Ａは、通知メッセージ作成処理を行う。具体的には、無線通信端末１００Ａは、通知メッセージ作成画面を生成し、表示部１４０に表示させる。無線通信端末１００Ａは、通知メッセージ作成画面の表示中に操作部１５０から取得した情報に基づいて、無線通信端末１００Ｃへの通知メッセージを生成する。
【００６３】
ステップＳ１０２において、無線通信端末１００Ｃに対して生成した通知メッセージを送信するトリガを検出するステップである。具体的には、無線通信端末１００Ａは、ユーザから未参加端末（例えば、無線通信端末１００Ｃ）への通知メッセージの送信を指示する送信操作を操作部１５０によって受け付けた場合、又は制御部１１０が上述の終話イベントを検知した場合、本動作は、ステップＳ１０３に進む。
【００６４】
ステップＳ１０３において、無線通信端末１００Ａは、宛先設定処理を行う。具体的には、無線通信端末１００Ａは、ＳＩＰサーバー３００に対して未参加者リストを要求する。ＳＩＰサーバー３００は、無線通信端末１００Ａからの未参加者リスト要求に応じて、未参加者リストを無線通信端末１００Ａに送信する。
【００６５】
また、無線通信端末１００Ａは、未参加リストに基づいて、宛先選択画面を生成し、表示部１４０に表示させる。宛先選択画面におけるユーザの選択結果に基づいて、無線通信端末１００Ａは、ステップＳ１０１において生成した通知メッセージの宛先を設定する。
【００６６】
なお、かかる宛先設定処理は、ステップＳ１０３で行うだけでなく、ステップＳ１０３ａにおいても行ってもよい。すなわち、無線通信端末１００Ａは、ステップＳ１０３ａにおいて設定した宛先を、ステップＳ１０３において再度確認するようにしてもよい。尚、ステップＳ１０３ａで宛先を設定した場合は、送信する際にステップＳ１０３で取得した宛先に基づいて差が生じていた場合は表示して再設定するようにしても良い。これにより、先に設定していたよりも、送信の際の最新の未参加メンバーに対して通知メッセージを送信することが可能となる。
【００６７】
図８は、無線通信端末１００Ａと無線通信端末１００Ｂとが通知メッセージを生成し、無線通信端末１００Ａが、通知メッセージを無線通信端末１００Ｃに送信する例である。
【００６８】
図８に示すように、ステップＳ１１０において、無線通信端末１００Ａは、通知メッセージ作成処理を行い、生成した通知メッセージをＳＩＰサーバー３００に送信する。
【００６９】
具体的には、無線通信端末１００Ａは、通知メッセージ作成画面を生成し、表示部１４０に表示させる。無線通信端末１００Ａは、通知メッセージ作成画面の表示中に操作部１５０から取得した情報に基づいて、無線通信端末１００Ｃへの通知メッセージを生成して、作成した通知メッセージをＳＩＰサーバー３００に送信する。この通知メッセージは、後述するＳＩＰサーバー３００の記憶部３４０に記憶される。このＳＩＰサーバー３００に記憶されているメッセージは、グループ通話中の無線通信端末であればＳＩＰサーバー３００に要求して取得して表示すること（ステップＳ１１１）ができる。
【００７０】
ステップＳ１２０において、ステップＳ１１０と同様に、無線通信端末１００Ｂは、通知メッセージ作成処理を行い、ＳＩＰサーバー３００に対して、生成した通知メッセージを送信する。ＳＩＰサーバー３００は、受信した通知メッセージを記憶部３４０に記憶する。
【００７１】
同様に無線通信端末１００Ａは、無線通信端末１００Ｂが追加した通知メッセージをＳＩＰサーバー３００から取得して表示する（ステップＳ１２１）ことができる。なお、ＳＩＰサーバー３００から取得した通知メッセージは、無線通信端末１００Ａの記憶部１６０に記憶される。
【００７２】
ステップＳ１３０は、無線通信端末１００Ｃに対して生成した通知メッセージを送信するトリガを検出するステップである。具体的には、無線通信端末１００Ａは、ユーザから未参加端末への通知メッセージの送信を指示する送信操作を操作部１５０によって受け付けた場合、又は上述の終話イベントを検知した場合、本動作は、ステップＳ１４０に進む。
【００７３】
ステップＳ１４０において、無線通信端末１００Ａは、通知メッセージ生成処理を行う。
【００７４】
具体的には、無線通信端末１００Ａは、記憶部１６０や記憶部３４０に記憶されている通知メッセージをＳＭＳやＥメール等のメッセージサービスにより送信できるように通知メッセージを生成する。尚、上述のトリガに応じて、ＳＩＰサーバー３００から通知メッセージを取得して生成しても良いし、その時点で表示している通知メッセージを用いて生成しても良い。また、この通知メッセージは、複数の無線通信端末によって作成されていれば、各無線通信端末が作成した通知メッセージを連結するとともに、作成した無線通信端末を識別できるように生成するのが好ましい。
【００７５】
ステップＳ１５０において、無線通信端末１００Ａは、宛先設定処理を行う。
【００７６】
具体的には、無線通信端末１００Ａは、ＳＩＰサーバー３００に対して未参加者リストを要求する。ＳＩＰサーバー３００は、無線通信端末１００Ａからの未参加者リスト要求に応じて、未参加者リストを無線通信端末１００Ａに送信する。
【００７７】
無線通信端末１００Ａは、宛先設定処理を行う。具体的には、無線通信端末１００Ａは、未参加リストに基づいて、宛先選択画面を生成し、表示部１４０に表示させる。宛先選択画面におけるユーザの選択結果に基づいて、無線通信端末１００Ａは、ステップＳ１４０において生成した通知メッセージの宛先を設定する。
【００７８】
なお、かかる宛先設定処理は、ステップＳ１５０で行うだけでなく、ステップＳ１５０ａにおいても行ってもよい。尚、ステップＳ１５０ａで宛先を設定していた場合は、送信する際に、ステップＳ１５０で取得した宛先に基づいて差が生じた場合に表示して、再設定をするようにしても良い。これにより、先に設定していたよりも、送信の際の最新の未参加メンバーに対して通知メッセージを送信することが可能になる。
【００７９】
ステップＳ１６０において、無線通信端末１００Ａは、ショートメールサービスによってＳＭＳサーバー４００に通知メッセージを送信する。ＳＭＳサーバー４００は、ショートメールサービスによって、無線通信端末１００Ａから受信した通知メッセージを無線通信端末１００Ｃに送信する。
【００８０】
（第１実施形態に係る作用・効果）
第１実施形態に係る無線通信ネットワークによれば、無線通信端末１００ＡがＳＩＰサーバー３００から未参加者リストを取得できることによって、グループ通話に参加していない未参加端末に向けて未参加端末宛てメッセージを未参加端末確実に送信することができる。
【００８１】
また、グループ通話に参加している複数の無線通信端末からの未参加端末宛てメッセージを連結しているので、未参加端末のユーザは、各参加者の内容を正確に把握することができる。
【００８２】
［第２実施形態］
図９乃至図１０を参照して、本発明の第２実施形態に係る無線通信ネットワーク及び通信方法について説明する。以下、本発明の第２の実施形態に係る無線通信ネットワーク及び通信方法について、上述の第１の実施形態に係る無線通信ネットワーク及び通信方法との相違点について主として説明する。
【００８３】
本発明の第２実施形態に係る無線通信ネットワークは、第１実施形態に係る無線通信ネットワークにおいて無線通信端末＃Ａが行った通知メッセージ生成処理及び通知メッセージ送信処理をＳＩＰサーバー３００が行う点で第１実施形態と異なる。本発明の第２実施形態において、ＳＩＰサーバー３００は、配信サーバーを構成する。
【００８４】
（第２実施形態に係るＳＩＰサーバー（サーバー）の構成）
図９を参照し、無線通信ネットワークにおいて用いられるＳＩＰサーバー３００の構成について説明する。尚、このＳＩＰサーバー３００の構成は、上述のように第１実施形態に係るＳＩＰサーバー３００にも適用される構成を備えている。
【００８５】
図９に示すように、ＳＩＰサーバー３００は、制御部３１０と、グループ通話処理部３２０と、未参加者リスト取得部３３０と、記憶部３４０と、通知メッセージ連結部３５０と、通知メッセージ送信部３６０とを具備する。
【００８６】
制御部３１０は、ＳＩＰサーバー３００の各機能ブロックを制御する。具体的には、制御部３１０は、無線通信端末１００Ａから通知メッセージ送信要求を受信したことを検知した場合、又は終話イベントを検知した場合（無線通信端末１００ＡからＢＹＥリクエストを受信した場合や、無線通信端末１００ＢからＢＹＥリクエストを受信した場合等のグループ通話終了）、通知メッセージ連結部３５０を起動する。
【００８７】
グループ通話処理部３２０は、無線通信端末がグループに参加している無線通信端末に向けて送信したメッセージを受信する。本実施形態において、グループ通話処理部３２０は、受信部を構成する。
【００８８】
また、グループ内の無線通信端末の呼び出し等を行う。
【００８９】
未参加者リスト取得部３３０は、発呼時に無線通信端末１００Ａから受信したグループリストの無線通信端末のうち、グループ通話に参加していない無線通信端末のリストである未参加者リストを取得する。なお、未参加者リスト取得部３３０は、未参加者リストを生成してもよい。
【００９０】
本実施形態において、未参加者リスト取得部３３０は、グループ通話として指定された複数のメンバーのうち、グループ通話に未参加メンバーの情報を取得する取得手段を構成する。
【００９１】
記憶部３４０は、グループ通話処理部３２０において受信した通知メッセージを記憶する。記憶部３４０は、グループ通話中に生成されるメッセージを記憶する記憶手段を構成する。
【００９２】
通知メッセージ連結部３５０は、制御部１１０からの指示に応じて、記憶部３４０に記憶されている通知メッセージを連結する。具体的には、通知メッセージ連結部３５０は、通信中のグループの識別子を有する通知メッセージを、時系列やユーザ順などで連結する。
【００９３】
通知メッセージ送信部３６０は、未参加者リスト取得部３３０が取得した未参加者リストに基づいて、通知メッセージ連結部３５０によって連結された連結メッセージを通知メッセージとしてＳＭＳやＥメールなどを利用して未参加の無線通信端末に対して送信する。
【００９４】
本実施形態において、通知メッセージ送信部３６０は、取得手段により取得した未参加メンバーの情報に基づいて、記憶手段により記憶しているメッセージの宛先を指定して、当該メッセージを未参加メンバーに送信する送信手段を構成する。
【００９５】
本実施形態において、グループ通話の終話イベントを検知した場合に、取得手段が未参加メンバーの情報を取得し、通知メッセージ送信部３６０が取得手段により取得した未参加メンバーの情報に基づいて、記憶手段により記憶しているメッセージの宛先を設定して、当該メッセージを前記未参加メンバーに送信してもよい。
【００９６】
本実施形態において、前記メッセージの送信指示を受けた場合に、取得手段が未参加メンバーの情報を取得し、通知メッセージ送信部３６０が前記取得手段により取得した未参加メンバーの情報に基づいて、前記記憶手段により記憶しているメッセージの宛先を設定して、当該メッセージを前記未参加メンバーに送信してもよい。
【００９７】
（第２実施形態に係る通信制御方法）
以下、図１０を参照し、第２実施形態に係る通信方法について説明する。
【００９８】
図１０は、無線通信端末１００Ａと無線通信端末１００Ｂとがグループ通話中である場合、無線通信端末１００Ａがグループ通話を行っていない無線通信端末１００Ｃに対して通知メッセージを配信する例である。
【００９９】
なお、ステップＳ２１０〜Ｓ２２１については、第１実施形態の図８のステップＳ１１０〜Ｓ１２１と同様であるため、説明を省略する。
【０１００】
ステップＳ２３０は、無線通信端末１００Ｃに対して生成した通知メッセージを送信するトリガを検出するステップである。具体的には、ＳＩＰサーバー３００は、無線通信端末１００Ａから通知メッセージ送信要求を受信した場合、又は終話イベントを検知した場合、本動作は、ステップＳ２４０に進む。
【０１０１】
ステップＳ２４０において、ＳＩＰサーバー３００は、通知メッセージ連結処理を行う。なお、各無線通信端末からの通知メッセージの追加があるたびに連結されている場合は、この処理をスキップしても良い。
【０１０２】
ステップＳ２５０において、ＳＩＰサーバー３００は、未参加者リストを取得し、ステップＳ２４０において連結した通知メッセージの宛先を設定する。
【０１０３】
また、ＳＩＰサーバー３００は、ショートメールサービスによってＳＭＳサーバー４００に連結した通知メッセージを送信する。ＳＭＳサーバー４００は、ショートメールサービスによって、ＳＩＰサーバー３００から受信した通知メッセージを無線通信端末１００Ｃに送信する。
【０１０４】
（作用・効果）
第２実施形態に係る無線通信ネットワークによれば、ＳＩＰサーバー３００がグループ通話に参加していない未参加端末に向けて未参加端末宛てメッセージを送信するので、第１実施形態に比べて無線通信端末１００Ａにおける負荷が軽減される。また、ＳＩＰサーバー３００が宛先を設定するので無線通信端末１００Ａが宛先を取得して設定するよりも、タイムラグなどの影響を受けずに正確に未参加端末に対して送信することが出来る。
【０１０５】
［その他の実施形態］
なお、第１実施形態及び第２実施形態では、通信プロトコルとしてＳＩＰを用いる場合について説明したが、本発明は、かかる場合に限定されることはなく、第１実施形態及び第２実施形態の動作を実現することができる他の通信プロトコルがあれば、当該他の通信プロトコルを用いた場合にも適用可能である。
【０１０６】
以上、本発明の一例を説明したが、具体例を例示したに過ぎず、特に本発明を限定するものではなく、各部の具体的構成等は、適宜設計変更可能である。また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１０７】
【図１】本発明の第１実施形態に係る無線通信ネットワークの全体概略構成図である。
【図２】本発明の第１実施形態に係る無線通信端末のブロック構成図である。
【図３】本発明の第１実施形態に係る無線通信端末によって表示される通知メッセージ作成画面の一例を示す図である。
【図４】本発明の第１実施形態に係る無線通信端末によって表示される宛先選択画面の一例を示す図である。
【図５】本発明の第１実施形態に係る連結された通知メッセージの表示画面の一例を示す図である。
【図６】本発明の第１実施形態に係る無線通信端末の通信方法を示す図である。
【図７】本発明の第１実施形態に係る無線通信端末の通知メッセージの送信方法を示す図である。
【図８】本発明の第１実施形態に係る無線通信端末の通知メッセージの送信方法を示す図である。
【図９】本発明の第２実施形態に係る呼制御サーバーのブロック構成図である。
【図１０】本発明の第２実施形態に係るサーバーのメッセージ配信方法を示す図である。
【符号の説明】
【０１０８】
１００Ａ〜１００Ｃ…無線通信端末、１１０…制御部、１２０…グループ通話処理部、１３０…通知メッセージ生成部、１４０…表示部、１５０…操作部
１６０…記憶部、１７０…宛先設定処理部、１８０…通知メッセージ連結部、１９０…通知メッセージ送信部、２００ａ…無線パケットネットワーク、２００ｂ…回線交換ネットワーク、３００…ＳＩＰサーバー、３１０…制御部、３２０…グループ通話処理部、３３０…未参加者リスト取得部、３４０…記憶部、３５０…通知メッセージ連結部、３６０…通知メッセージ送信部、４００…ＳＭＳサーバー
【図１】
0004841297.tif 000002
【図２】
0004841297.tif 000003
【図３】
0004841297.tif 000004
【図４】
0004841297.tif 000005
【図５】
0004841297.tif 000006
【図６】
0004841297.tif 000007
【図７】
0004841297.tif 000008
【図８】
0004841297.tif 000009
【図９】
0004841297.tif 000010
【図１０】
0004841297.tif 000011